(57)【要約】【課題】  階層化伝送方式が採用されている放送信号を、階層化伝送方式に対応させて記録する。【解決手段】  ステップＳ１で、ユーザから放送信号の受信と記録が指令された場合、ステップＳ２において放送信号が受信され、ステップＳ３で、ＣＮレベルが検出され、ステップＳ４で、ＣＮレベルは所定の値以上であるか否かが判断され、ＣＮレベルが所定の値以上であると判断された場合、ステップＳ５で、放送信号から低階層のエレメンタリーストリームが削除され、ステップＳ６で、ＰＭＴから伝送記述子が削除される。そして、ステップＳ７で、放送信号およびＰＭＴが記録される。本発明は、記録再生装置に適用できる。【選択図】図１２
2006020197.tif 000002
【特許請求の範囲】
【請求項１】
階層化伝送方式が採用されている放送信号を取得する取得手段と、
前記取得手段により取得された前記放送信号の受信状況を示す情報を検出する検出手段と、
前記検出手段により検出された前記放送信号の受信状況を示す情報を基に、前記放送信号に含まれるストリームデータのうち、記録される前記ストリームデータを選択する選択手段と、
前記検出手段により検出された前記放送信号の受信状況を示す情報を基に、前記放送信号に含まれる制御情報を必要に応じて変換する変換手段と
を備えることを特徴とする記録情報生成装置。
【請求項２】
前記選択手段により選択された前記ストリームデータと、前記変換手段により必要に応じて変換された前記制御情報の記録を制御する記録制御手段
を更に備えることを特徴とする請求項１に記載の記録情報生成装置。
【請求項３】
前記選択手段は、前記検出手段により検出された前記放送信号の受信状況を示す情報が、前記放送信号の受信状況が良好であることを示していた場合、前記放送信号に含まれるストリームデータのうち、高階層のストリームデータを、記録される前記ストリームデータとして選択し、前記検出手段により検出された前記放送信号の受信状況を示す情報が、前記放送信号の受信状況が良好ではないことを示していた場合、前記放送信号に含まれるストリームデータを全て記録される前記ストリームデータとして選択し、
前記変換手段は、前記検出手段により検出された前記放送信号の受信状況を示す情報が、前記放送信号の受信状況が良好であることを示していた場合、前記放送信号に含まれる前記制御情報から、所定の情報を削除し、前記検出手段により検出された前記放送信号の受信状況を示す情報が、前記放送信号の受信状況が良好ではないことを示していた場合、前記放送信号に含まれる前記制御情報を変換しない
ことを特徴とする請求項１に記載の記録情報生成装置。
【請求項４】
前記制御情報にはＰＭＴが含まれ、
前記所定の情報は、階層伝送記述子である
ことを特徴とする請求項３に記載の記録情報生成装置。
【請求項５】
階層化伝送方式が採用されている放送信号を用いて記録情報を生成する記録情報生成装置の記録情報生成方法であって、
前記放送信号を取得する取得ステップと、
前記取得ステップの処理により取得された前記放送信号の受信状況を示す情報を検出する検出ステップと、
前記検出ステップの処理により検出された前記放送信号の受信状況を示す情報を基に、前記放送信号に含まれるストリームデータのうち、記録される前記ストリームデータを選択する選択ステップと、
前記検出ステップの処理により検出された前記放送信号の受信状況を示す情報を基に、前記放送信号に含まれる制御情報を必要に応じて変換する変換ステップと
を含むことを特徴とする記録情報生成方法。
【請求項６】
階層化伝送方式が採用されている放送信号を用いて記録情報を生成する処理をコンピュータに実行させるためのプログラムであって、
前記放送信号を取得する取得ステップと、
前記取得ステップの処理により取得された前記放送信号の受信状況を示す情報を検出する検出ステップと、
前記検出ステップの処理により検出された前記放送信号の受信状況を示す情報を基に、前記放送信号に含まれるストリームデータのうち、記録される前記ストリームデータを選択する選択ステップと、
前記検出ステップの処理により検出された前記放送信号の受信状況を示す情報を基に、前記放送信号に含まれる制御情報を必要に応じて変換する変換ステップと
を含むことを特徴とする処理をコンピュータに実行させるためのプログラム。
【請求項７】
所定の記録媒体に記録されているストリームデータおよび制御情報を取得する取得手段と、
前記取得手段により取得された前記ストリームデータおよび前記制御情報から、所定の第１の情報を抽出する抽出手段と、
前記抽出手段により抽出された前記第１の情報に、所定の第２の情報が含まれているか否かを基に、前記ストリームデータの再生を制御する再生制御手段と
を備えることを特徴とする情報再生装置。
【請求項８】
前記再生制御手段は、前記第１の情報に前記第２の情報が含まれていなかった場合、高階層のストリームデータの再生を制御し、前記第１の情報に前記第２の情報が含まれていた場合、低階層のストリームデータの再生を制御する
ことを特徴とする請求項７に記載の情報再生装置。
【請求項９】
前記再生制御手段により再生が制御される前記ストリームデータが、前記高階層のストリームデータから前記低階層のストリームデータに、または、前記低階層のストリームデータから前記高階層のストリームデータに切り替わった場合、前記再生制御手段により再生が制御される前記ストリームデータが切り替わったことをユーザへ通知するための処理を実行する通知処理実行手段
を更に備えることを特徴とする請求項７に記載の情報再生装置。
【請求項１０】
前記第１の情報はＰＭＴであり、
前記第２の情報は、階層伝送記述子である
ことを特徴とする請求項７に記載の情報再生装置。
【請求項１１】
情報を再生する情報再生装置の情報再生方法であって、
所定の記録媒体に記録されているストリームデータおよび制御情報を取得する取得ステップと、
前記取得ステップの処理により取得された前記ストリームデータおよび前記制御情報から、所定の第１の情報を抽出する抽出ステップと、
前記抽出ステップの処理により抽出された前記第１の情報に、所定の第２の情報が含まれているか否かを基に、前記ストリームデータの再生を制御する再生制御ステップと
を含むことを特徴とする情報再生方法。
【請求項１２】
情報を再生する処理をコンピュータに実行させるためのプログラムであって、
所定の記録媒体に記録されているストリームデータおよび制御情報を取得する取得ステップと、
前記取得ステップの処理により取得された前記ストリームデータおよび前記制御情報から、所定の第１の情報を抽出する抽出ステップと、
前記抽出ステップの処理により抽出された前記第１の情報に、所定の第２の情報が含まれているか否かを基に、前記ストリームデータの再生を制御する再生制御ステップと
を含むことを特徴とする処理をコンピュータに実行させるためのプログラム。
【請求項１３】
階層化伝送方式が採用されている放送信号を取得する第１の取得手段と、
前記第１の取得手段により取得された前記放送信号の受信状況を示す情報を検出する検出手段と、
前記検出手段により検出された前記放送信号の受信状況を示す情報を基に、前記放送信号に含まれるストリームデータのうち、記録される前記ストリームデータを選択する選択手段と、
前記検出手段により検出された前記放送信号の受信状況を示す情報を基に、前記放送信号に含まれる制御情報を必要に応じて変換する変換手段と、
前記選択手段により選択された前記ストリームデータと、前記変換手段により必要に応じて変換された前記制御情報の記録を制御する記録制御手段と、
前記記録制御手段により記録が制御された前記ストリームデータおよび前記制御情報を取得する第２の取得手段と、
前記第２の取得手段により取得された前記ストリームデータおよび前記制御情報から、所定の第１の情報を抽出する抽出手段と、
前記抽出手段により抽出された前記第１の情報に、所定の第２の情報が含まれているか否かを基に、前記ストリームデータの再生を制御する再生制御手段と
を備えることを特徴とする情報記録再生装置。
【請求項１４】
階層化伝送方式が採用されている放送信号を記録再生する記録再生装置の記録再生方法において、
前記放送信号を取得する第１の取得ステップと、
前記第１の取得ステップの処理により取得された前記放送信号の受信状況を示す情報を検出する検出ステップと、
前記検出ステップの処理により検出された前記放送信号の受信状況を示す情報を基に、前記放送信号に含まれるストリームデータのうち、記録される前記ストリームデータを選択する選択ステップと、
前記検出ステップの処理により検出された前記放送信号の受信状況を示す情報を基に、前記放送信号に含まれる制御情報を必要に応じて変換する変換ステップと、
前記選択ステップの処理により選択された前記ストリームデータと、前記変換ステップの処理により必要に応じて変換された前記制御情報の記録を制御する記録制御ステップと、
前記記録制御ステップの処理により記録が制御された前記ストリームデータおよび前記制御情報を取得する第２の取得ステップと、
前記第２の取得ステップの処理により取得された前記ストリームデータおよび前記制御情報から、所定の第１の情報を抽出する抽出ステップと、
前記抽出ステップの処理により抽出された前記第１の情報に、所定の第２の情報が含まれているか否かを基に、前記ストリームデータの再生を制御する再生制御ステップと
を含むことを特徴とする情報記録再生方法。
【請求項１５】
階層化伝送方式が採用されている放送信号を記録再生する処理をコンピュータに実行させるためのプログラムであって、
前記放送信号を取得する第１の取得ステップと、
前記第１の取得ステップの処理により取得された前記放送信号の受信状況を示す情報を検出する検出ステップと、
前記検出ステップの処理により検出された前記放送信号の受信状況を示す情報を基に、前記放送信号に含まれるストリームデータのうち、記録される前記ストリームデータを選択する選択ステップと、
前記検出ステップの処理により検出された前記放送信号の受信状況を示す情報を基に、前記放送信号に含まれる制御情報を必要に応じて変換する変換ステップと、
前記選択ステップの処理により選択された前記ストリームデータと、前記変換ステップの処理により必要に応じて変換された前記制御情報の記録を制御する記録制御ステップと、
前記記録制御ステップの処理により記録が制御された前記ストリームデータおよび前記制御情報を取得する第２の取得ステップと、
前記第２の取得ステップの処理により取得された前記ストリームデータおよび前記制御情報から、所定の第１の情報を抽出する抽出ステップと、
前記抽出ステップの処理により抽出された前記第１の情報に、所定の第２の情報が含まれているか否かを基に、前記ストリームデータの再生を制御する再生制御ステップと
を含むことを特徴とする処理をコンピュータに実行させるためのプログラム。
【発明の詳細な説明】
【技術分野】
【０００１】
本発明は、記録情報生成装置および記録情報生成方法、情報再生装置および情報再生方法、記録再生装置および記録再生方法、並びに、プログラムに関し、特に、階層化伝送方式が採用されている放送信号を録画し、再生する場合に用いて好適な、記録情報生成装置および記録情報生成方法、情報再生装置および情報再生方法、記録再生装置および記録再生方法、並びに、プログラムに関する。
【背景技術】
【０００２】
ＢＳ（Broadcasting Satellite）デジタル放送および広域ＣＳ（Communications Satellite）デジタル放送においては、階層化伝送方式が採用されている。階層化伝送とは、例えば、降雨時など、受信レベルが低下してしまう状況においても、サービスの提示を継続することができるようにするものであり、通常視聴用の高品質の映像信号に加えて、受信レベルが低下しても安定に受信できるような映像の信号を併せて伝送する方式である。
【０００３】
従来、例えば、降雨減衰等により、階層化伝送方式に対応している放送信号の受信電界強度の低下が、例えば、受信ビット誤り率や受信Ｃ／Ｎ比（Ｃ／Ｎレベル）などの低下により検出された場合、受信機側で低階層受信を行う事ができる技術が用いられている（例えば、特許文献１）。
【０００４】
【特許文献１】特開２００１−０７８１８０号公報
【０００５】
放送信号を受信し、リアルタイムに提示することが可能なテレビジョン受像機や、ＳＴＢ（Set Top Box）などの受信機においては、階層伝送記述子の記載に対応している受信機であれば、Ｃ／Ｎレベルを監視し、レベルの低下時には、記載内容に従って、自動的にエレメンタリーストリームの切換を行って、低階層受信を行い、ユーザにその旨通知することが可能である。また、階層伝送記述子の記載に対応していない受信機や、階層伝送記述子が存在しないプログラムの場合、エレメンタリーストリームの提示が停止されるようになされている場合もある。
【発明の開示】
【発明が解決しようとする課題】
【０００６】
低階層で送出されているエレメンタリーストリームは、高階層で送出されているエレメンタリーストリームと比較して、映像や音声の品質が基本的に劣っている。そのため、表示されている映像、または、出力されている音声の階層が切り替わった場合、ユーザに対して提供されるエレメンタリーストリームが切り替わったことが通知されないと、ユーザは、なぜ、品質が劣るエレメンタリーストリームの提示が行なわれているのか、または、なぜ、エレメンタリーストリームの提示がされなくなったのか、状況が把握できない。
【０００７】
しかしながら、デジタル放送信号を記録・再生する場合、実際の放送信号を受信している場合（ライブ受信）のように、ユーザに対して、画質などの低下の要因を提示することができないので、記録される信号が高階層と低階層で切り替わってしまった場合、この記録信号を再生したユーザは、なぜ、品質が劣るエレメンタリーストリームの提示が行なわれているのか、または、なぜ、エレメンタリーストリームの提示がされなくなったのか、状況を把握することができない。
【０００８】
本発明はこのような状況に鑑みてなされたものであり、階層化伝送方式が採用されている放送信号を録画し、再生する場合に、再生信号において高階層と低階層を切り替えることができ、階層が切り替わったことを、ユーザに通知することができるようにするものである。
【課題を解決するための手段】
【０００９】
本発明の記録情報生成装置は、階層化伝送方式が採用されている放送信号を取得する取得手段と、取得手段により取得された放送信号の受信状況を示す情報を検出する検出手段と、検出手段により検出された放送信号の受信状況を示す情報を基に、放送信号に含まれるストリームデータのうち、記録されるストリームデータを選択する選択手段と、検出手段により検出された放送信号の受信状況を示す情報を基に、放送信号に含まれる制御情報を必要に応じて変換する変換手段とを備えることを特徴とする。
【００１０】
選択手段により選択されたストリームデータと、変換手段により必要に応じて変換された制御情報の記録を制御する記録制御手段を更に備えるようにすることができる。
【００１１】
選択手段には、検出手段により検出された放送信号の受信状況を示す情報が、放送信号の受信状況が良好であることを示していた場合、放送信号に含まれるストリームデータのうち、高階層のストリームデータを、記録されるストリームデータとして選択させるようにすることができ、検出手段により検出された放送信号の受信状況を示す情報が、放送信号の受信状況が良好ではないことを示していた場合、放送信号に含まれるストリームデータを全て記録されるストリームデータとして選択させるようにすることができ、変換手段には、検出手段により検出された放送信号の受信状況を示す情報が、放送信号の受信状況が良好であることを示していた場合、放送信号に含まれる制御情報から、所定の情報を削除させるようにすることができ、検出手段により検出された放送信号の受信状況を示す情報が、放送信号の受信状況が良好ではないことを示していた場合、放送信号に含まれる制御情報を変換させないようにすることができる。
【００１２】
制御情報にはＰＭＴが含まれるものとすることができ、所定の情報は、階層伝送記述子であるものとすることができる。
【００１３】
本発明の記録情報生成方法は、放送信号を取得する取得ステップと、取得ステップの処理により取得された放送信号の受信状況を示す情報を検出する検出ステップと、検出ステップの処理により検出された放送信号の受信状況を示す情報を基に、放送信号に含まれるストリームデータのうち、記録されるストリームデータを選択する選択ステップと、検出ステップの処理により検出された放送信号の受信状況を示す情報を基に、放送信号に含まれる制御情報を必要に応じて変換する変換ステップとを含むことを特徴とする。
【００１４】
本発明の第１のプログラムは、放送信号を取得する取得ステップと、取得ステップの処理により取得された放送信号の受信状況を示す情報を検出する検出ステップと、検出ステップの処理により検出された放送信号の受信状況を示す情報を基に、放送信号に含まれるストリームデータのうち、記録されるストリームデータを選択する選択ステップと、検出ステップの処理により検出された放送信号の受信状況を示す情報を基に、放送信号に含まれる制御情報を必要に応じて変換する変換ステップとを含むことを特徴とする処理をコンピュータに実行させる。
【００１５】
本発明の記録情報生成装置および記録情報生成方法、ならびに、第１のプログラムにおいては、階層化伝送方式が採用されている放送信号が取得され、放送信号の受信状況を示す情報が検出され、放送信号の受信状況を示す情報を基に、放送信号に含まれるストリームデータのうち、記録されるストリームデータが選択されるとともに、放送信号に含まれる制御情報が必要に応じて変換される。
【００１６】
本発明の情報再生装置は、所定の記録媒体に記録されているストリームデータおよび制御情報を取得する取得手段と、取得手段により取得されたストリームデータおよび制御情報から、所定の第１の情報を抽出する抽出手段と、抽出手段により抽出された第１の情報に、所定の第２の情報が含まれているか否かを基に、ストリームデータの再生を制御する再生制御手段とを備えることを特徴とする。
【００１７】
再生制御手段には、第１の情報に第２の情報が含まれていなかった場合、高階層のストリームデータの再生を制御させるようにすることができ、第１の情報に第２の情報が含まれていた場合、低階層のストリームデータの再生を制御させるようにすることができる。
【００１８】
再生制御手段により再生が制御されるストリームデータが、高階層のストリームデータから低階層のストリームデータに、または、低階層のストリームデータから高階層のストリームデータに切り替わった場合、再生制御手段により再生が制御されるストリームデータが切り替わったことをユーザへ通知するための処理を実行する通知処理実行手段を更に備えさせるようにすることができる。
【００１９】
第１の情報はＰＭＴであるものとすることができ、第２の情報は、階層伝送記述子であるものとすることができる。
【００２０】
本発明の情報再生方法は、所定の記録媒体に記録されているストリームデータおよび制御情報を取得する取得ステップと、取得ステップの処理により取得されたストリームデータおよび制御情報から、所定の第１の情報を抽出する抽出ステップと、抽出ステップの処理により抽出された第１の情報に、所定の第２の情報が含まれているか否かを基に、ストリームデータの再生を制御する再生制御ステップとを含むことを特徴とする。
【００２１】
本発明の第２のプログラムは、所定の記録媒体に記録されているストリームデータおよび制御情報を取得する取得ステップと、取得ステップの処理により取得されたストリームデータおよび制御情報から、所定の第１の情報を抽出する抽出ステップと、抽出ステップの処理により抽出された第１の情報に、所定の第２の情報が含まれているか否かを基に、ストリームデータの再生を制御する再生制御ステップとを含むことを特徴とする処理をコンピュータに実行させる。
【００２２】
本発明の情報再生装置および情報再生方法、ならびに、第２のプログラムにおいては、所定の記録媒体に記録されているストリームデータおよび制御情報が取得され、ストリームデータおよび制御情報から、所定の第１の情報が抽出され、抽出された第１の情報に、所定の第２の情報が含まれているか否かを基に、ストリームデータの再生が制御される。
【００２３】
本発明の記録再生装置は、階層化伝送方式が採用されている放送信号を取得する第１の取得手段と、第１の取得手段により取得された放送信号の受信状況を示す情報を検出する検出手段と、検出手段により検出された放送信号の受信状況を示す情報を基に、放送信号に含まれるストリームデータのうち、記録されるストリームデータを選択する選択手段と、検出手段により検出された放送信号の受信状況を示す情報を基に、放送信号に含まれる制御情報を必要に応じて変換する変換手段と、選択手段により選択されたストリームデータと、変換手段により必要に応じて変換された制御情報の記録を制御する記録制御手段と、記録制御手段により記録が制御されたストリームデータおよび制御情報を取得する第２の取得手段と、第２の取得手段により取得されたストリームデータおよび制御情報から、所定の第１の情報を抽出する抽出手段と、抽出手段により抽出された第１の情報に、所定の第２の情報が含まれているか否かを基に、ストリームデータの再生を制御する再生制御手段とを備えることを特徴とする。
【００２４】
本発明の記録再生方法は、放送信号を取得する第１の取得ステップと、第１の取得ステップの処理により取得された放送信号の受信状況を示す情報を検出する検出ステップと、検出ステップの処理により検出された放送信号の受信状況を示す情報を基に、放送信号に含まれるストリームデータのうち、記録されるストリームデータを選択する選択ステップと、検出ステップの処理により検出された放送信号の受信状況を示す情報を基に、放送信号に含まれる制御情報を必要に応じて変換する変換ステップと、選択ステップの処理により選択されたストリームデータと、変換ステップの処理により必要に応じて変換された制御情報の記録を制御する記録制御ステップと、記録制御ステップの処理により記録が制御されたストリームデータおよび制御情報を取得する第２の取得ステップと、第２の取得ステップの処理により取得されたストリームデータおよび制御情報から、所定の第１の情報を抽出する抽出ステップと、抽出ステップの処理により抽出された第１の情報に、所定の第２の情報が含まれているか否かを基に、ストリームデータの再生を制御する再生制御ステップとを含むことを特徴とする。
【００２５】
本発明の第３のプログラムは、放送信号を取得する第１の取得ステップと、第１の取得ステップの処理により取得された放送信号の受信状況を示す情報を検出する検出ステップと、検出ステップの処理により検出された放送信号の受信状況を示す情報を基に、放送信号に含まれるストリームデータのうち、記録されるストリームデータを選択する選択ステップと、検出ステップの処理により検出された放送信号の受信状況を示す情報を基に、放送信号に含まれる制御情報を必要に応じて変換する変換ステップと、選択ステップの処理により選択されたストリームデータと、変換ステップの処理により必要に応じて変換された制御情報の記録を制御する記録制御ステップと、記録制御ステップの処理により記録が制御されたストリームデータおよび制御情報を取得する第２の取得ステップと、第２の取得ステップの処理により取得されたストリームデータおよび制御情報から、所定の第１の情報を抽出する抽出ステップと、抽出ステップの処理により抽出された第１の情報に、所定の第２の情報が含まれているか否かを基に、ストリームデータの再生を制御する再生制御ステップとを含むことを特徴とする処理をコンピュータに実行させる。
【００２６】
本発明の記録再生装置および記録再生方法、並びに、第３のプログラムにおいては、放送信号が取得され、取得された放送信号の受信状況を示す情報が検出され、放送信号の受信状況を示す情報を基に、放送信号に含まれるストリームデータのうち、記録されるストリームデータが選択されるとともに、放送信号に含まれる制御情報が必要に応じて変換され、選択されたストリームデータと、必要に応じて変換された制御情報が記録され、記録されたストリームデータおよび制御情報が取得され、取得されたストリームデータおよび制御情報から、所定の第１の情報が抽出され、抽出された第１の情報に、所定の第２の情報が含まれているか否かを基に、ストリームデータの再生が制御される。
【発明の効果】
【００２７】
第１の本発明によれば、情報を記録することができ、特に、取得された放送信号の受信状況を示す情報を基に、記録される情報が生成されるので、生成された情報を再生する際に、記録された情報の受信時の受信状況に基づいた再生処理を行うことができる。
【００２８】
第２の本発明によれば、情報を再生することができ、特に、記録されている情報に、特定の情報が含まれているか否かを用いて、再生が制御されるので、記録された情報の受信時の受信状況に基づいた再生処理を行うことができる。
【００２９】
また、第３の本発明によれば、情報を記録し、再生することができる。特に、取得された放送信号の受信状況を示す情報を基に、記録される情報が生成され、記録されている情報に、特定の情報が含まれているか否かを用いて、再生が制御されるので、記録された情報を、受信時の受信状況に基づいて再生することができる。
【発明を実施するための最良の形態】
【００３０】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３１】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００３２】
請求項１に記載の記録情報生成装置（例えば、図１の記録データ処理部１１に対応する装置）は、階層化伝送方式が採用されている放送信号を取得する取得手段（例えば、図１のアンテナ２１）と、取得手段により取得された放送信号の受信状況を示す情報（例えば、Ｃ／Ｎレベル）を検出する検出手段（例えば、図１のＣ／Ｎレベル検出部２６）と、
検出手段により検出された放送信号の受信状況を示す情報を基に、放送信号に含まれるストリームデータのうち、記録されるストリームデータを選択する選択手段（例えば、図１のストリーム選択部２８）と、検出手段により検出された放送信号の受信状況を示す情報を基に、放送信号に含まれる制御情報（例えば、ＰＭＴを含む情報）を必要に応じて変換する変換手段（例えば、図１のＰＭＴ変換部２９）とを備えることを特徴とする。
【００３３】
選択手段により選択されたストリームデータと、変換手段により必要に応じて変換された制御情報の記録を制御する記録制御手段（例えば、図１の記録再生制御部５３）を更に備えるようにすることができる。
【００３４】
請求項５に記載の記録情報生成方法は、階層化伝送方式が採用されている放送信号を用いて記録情報を生成する記録情報生成装置（例えば、図１の記録データ処理部１１に対応する装置）の記録情報生成方法であって、放送信号を取得する取得ステップ（例えば、図１２のステップＳ２の処理）と、取得ステップの処理により取得された放送信号の受信状況を示す情報（例えば、Ｃ／Ｎレベル）を検出する検出ステップ（例えば、図１２のステップＳ３の処理）と、検出ステップの処理により検出された放送信号の受信状況を示す情報を基に、放送信号に含まれるストリームデータのうち、記録されるストリームデータを選択する選択ステップ（例えば、図１２のステップＳ４およびＳ５の処理）と、検出ステップの処理により検出された放送信号の受信状況を示す情報を基に、放送信号に含まれる制御情報（例えば、ＰＭＴを含む情報）を必要に応じて変換する変換ステップ（例えば、図１２のステップＳ４およびＳ６の処理）とを含むことを特徴とする。
【００３５】
また、請求項６に記載のプログラムにおいても、各ステップが対応する実施の形態（但し一例）は、請求項５に記載の記録情報生成方法と同様である。
【００３６】
請求項７に記載の情報再生装置（例えば、図１の再生処理部１３に対応する装置）は、所定の記録媒体（例えば、図１のハードディスク５２）に記録されているストリームデータおよび制御情報（例えば、ＰＭＴを含む情報）を取得する取得手段（例えば、図１のバッファメモリ６３）と、取得手段により取得されたストリームデータおよび制御情報から、所定の第１の情報（例えば、ＰＭＴ）を抽出する抽出手段（例えば、図１のＰＭＴ抽出部６４）と、抽出手段により抽出された第１の情報に、所定の第２の情報（例えば、階層伝送記述子）が含まれているか否かを基に、ストリームデータの再生を制御する再生制御手段（例えば、図１の再生制御部６１）とを備えることを特徴とする。
【００３７】
再生制御手段により再生が制御されるストリームデータが、高階層のストリームデータから低階層のストリームデータに、または、低階層のストリームデータから高階層のストリームデータに切り替わった場合、再生制御手段により再生が制御されるストリームデータが切り替わったことをユーザへ通知するための処理を実行する通知処理実行手段（例えば、図１のＯＳＤ６７）を更に備えることができる。
【００３８】
請求項１１に記載の情報再生方法は、情報を再生する情報再生装置（例えば、図１の再生処理部１３に対応する装置）の情報再生方法であって、所定の記録媒体（例えば、図１のハードディスク５２）に記録されているストリームデータおよび制御情報（例えば、ＰＭＴを含む情報）を取得する取得ステップ（例えば、図１３のステップＳ２２の処理）と、取得ステップの処理により取得されたストリームデータおよび制御情報から、所定の第１の情報（例えば、ＰＭＴ）を抽出する抽出ステップ（例えば、図１３のステップＳ２３の処理）と、抽出ステップの処理により抽出された第１の情報に、所定の第２の情報（例えば、階層伝送記述子）が含まれているか否かを基に、ストリームデータの再生を制御する再生制御ステップ（例えば、図１３のステップＳ２４乃至Ｓ２６の処理）と
を含むことを特徴とする情報再生方法。
【００３９】
また、請求項１２に記載のプログラムにおいても、各ステップが対応する実施の形態（但し一例）は、請求項１１に記載の情報再生方法と同様である。
【００４０】
請求項１３に記載の記録再生装置（例えば、図１の記録再生装置１）は、階層化伝送方式が採用されている放送信号を取得する第１の取得手段（例えば、図１のアンテナ２１）と、第１の取得手段により取得された放送信号の受信状況を示す情報（例えば、Ｃ／Ｎレベル）を検出する検出手段（例えば、図１のＣ／Ｎレベル検出部２６）と、検出手段により検出された放送信号の受信状況を示す情報を基に、放送信号に含まれるストリームデータのうち、記録されるストリームデータを選択する選択手段（例えば、図１のストリーム選択部２８）と、検出手段により検出された放送信号の受信状況を示す情報を基に、放送信号に含まれる制御情報（例えば、ＰＭＴを含む情報）を必要に応じて変換する変換手段（例えば、図１のＰＭＴ変換部２９）と、選択手段により選択されたストリームデータと、変換手段により必要に応じて変換された制御情報の記録を制御する記録制御手段（例えば、図１の記録再生制御部５３）と、記録制御手段により記録が制御されたストリームデータおよび制御情報を取得する第２の取得手段（例えば、図１のバッファメモリ６３）と、第２の取得手段により取得されたストリームデータおよび制御情報から、所定の第１の情報（例えば、ＰＭＴ）を抽出する抽出手段（例えば、図１のＰＭＴ抽出部６４）と、抽出手段により抽出された第１の情報に、所定の第２の情報（例えば、階層伝送記述子）が含まれているか否かを基に、ストリームデータの再生を制御する再生制御手段（例えば、再生制御部６１）とを備えることを特徴とする。
【００４１】
請求項１４に記載の記録再生方法は、階層化伝送方式が採用されている放送信号を記録再生する記録再生装置（例えば、図１の記録再生装置１）の記録再生方法であって、放送信号を取得する第１の取得ステップ（例えば、図１２のステップＳ２の処理）と、第１の取得ステップの処理により取得された放送信号の受信状況を示す情報（例えば、Ｃ／Ｎレベル）を検出する検出ステップ（例えば、図１２のステップＳ３の処理）と、検出ステップの処理により検出された放送信号の受信状況を示す情報を基に、放送信号に含まれるストリームデータのうち、記録されるストリームデータを選択する選択ステップ（例えば、図１２のステップＳ４およびＳ５の処理）と、検出ステップの処理により検出された放送信号の受信状況を示す情報を基に、放送信号に含まれる制御情報（例えば、ＰＭＴを含む情報）を必要に応じて変換する変換ステップ（例えば、図１２のステップＳ４およびＳ６の処理）と、選択ステップの処理により選択されたストリームデータと、変換ステップの処理により必要に応じて変換された制御情報の記録を制御する記録制御ステップ（例えば、図１２のステップＳ７の処理）と、記録制御ステップの処理により記録が制御されたストリームデータおよび制御情報を取得する第２の取得ステップ（例えば、図１３のステップＳ２２の処理）と、第２の取得ステップの処理により取得されたストリームデータおよび制御情報から、所定の第１の情報（例えば、ＰＭＴ）を抽出する抽出ステップ（例えば、図１３のステップＳ２３の処理）と、抽出ステップの処理により抽出された第１の情報に、所定の第２の情報（例えば、階層伝送記述子）が含まれているか否かを基に、ストリームデータの再生を制御する再生制御ステップ（例えば、図１３のステップＳ２４乃至Ｓ２６の処理）とを含むことを特徴とする。
【００４２】
また、請求項１５に記載のプログラムにおいても、各ステップが対応する実施の形態（但し一例）は、請求項１４に記載の情報処理方法と同様である。
【００４３】
以下、図を参照して、本発明の実施の形態について説明する。
【００４４】
図１は、本発明を適用した記録再生装置１の構成を示すブロック図である。
【００４５】
記録再生装置１は、記録データ処理部１１、記録部１２、および、再生処理部１３で構成されている。
【００４６】
記録データ処理部１１は、チューナ２２、復調部２３、デスクランブラ２４、デマルチプレクサ２５、Ｃ／Ｎレベル検出部２６、記録制御部２７、ストリーム選択部２８、ＰＭＴ（Program Map Table）変換部２９、マルチプレクサ３０、および、ＲＥＣ−ＦＩＦＯ３１で構成されている。
【００４７】
チューナ２２は、記録制御部２７から供給される制御信号に基づいて、アンテナ２１により受信された放送信号から、ユーザにより指定された放送信号を選局して抽出し、復調部２３に供給する。復調部２３は、チューナ２３から供給された放送信号を復調して、トランスポートストリームを生成し、デスクランブラ２４に出力する。デスクランブラ２４は、復調部２３から供給されたトランスポートストリームのスクランブルを適宜解除して、デマルチプレクサ２５に出力する。デマルチプレクサ２５は、多重化されたトランスポートストリームを、映像または音声データなどのストリームデータや、セクションデータに分離し、ストリームデータをストリーム選択部２８に供給するとともに、セクションデータをＰＭＴ変換部２９に供給する。ＰＭＴ変換部２９に供給されるセクションデータには、ＰＡＴ（Program Association Table：放送番組関連テーブル）、ＰＭＴ（Program Map Table：放送番組マップテーブル）、ＮＩＴ（Network Information Table：ネットワーク情報テーブル）、ＣＡＴ（Conditional Access Table：限定受信テーブル）等のテーブル類が含まれる。
【００４８】
Ｃ／Ｎレベル検出部２６は、チューナ２２により取得された放送信号におけるＣ／Ｎレベル（キャリア対ノイズ比）を取得し、記録制御部２７に供給する。記録制御部２７は、記録データ処理部１１の全体の処理を制御するものであり、例えば、再生処理部１３の再生制御部６１を介して供給される、ユーザの操作入力を示す情報を基に、チューナ２２を制御して、ユーザが指定するチャンネルの放送信号を選局して受信させたり、Ｃ／Ｎレベル検出部２６から供給されたＣ／Ｎレベルを基に、ストリーム選択部２８を制御して、記録部１２により記録されるエレメンタリーストリーム（以下、ＥＳとも称する）を選択させたり、ＰＭＴ変換部２９を制御して、記録部１２により記録されるＰＭＴの記述を、必要に応じて変換する。
【００４９】
アンテナ２１により受信される放送信号がＢＳデジタル放送や広帯域ＣＳデジタル放送などの、階層変調の運用が定義されている放送信号である場合、記録制御部２７は、Ｃ／Ｎレベル検出部２６から供給されたＣ／Ｎレベルの検出結果を基に、ストリーム選択部２８によるエレメンタリーストリームの選択を制御するとともに、ＰＭＴ変換部２９によるＰＭＴの変換を制御する。すなわち、記録制御部２７は、受信された放送信号において、記録部１２に記録するべき情報の生成を制御する。
【００５０】
ストリーム選択部２８は、記録制御部２７の制御に基づいて、供給されたエレメンタリーストリームから、記録部１２に記録するべきエレメンタリーストリームを選択し、マルチプレクサ３０に供給する。具体的には、ストリーム選択部２８は、記録制御部２７の制御に基づいて、Ｃ／Ｎレベルが所定の値よりも高い、すなわち、受信レベルが良好である場合、高階層の映像および音声のエレメンタリーストリームを、記録部１２に記録するべきエレメンタリーストリームとして選択し、マルチプレクサ３０に供給し、Ｃ／Ｎレベルが所定の値よりも低い、すなわち、受信レベルが良好でない場合、受信したすべての映像および音声のエレメンタリーストリームを、記録部１２に記録するべきエレメンタリーストリームとして選択し、マルチプレクサ３０に供給する。
【００５１】
なお、受信レベルが良好であるか否かを決定するために、Ｃ／Ｎレベルの閾値（上述した、所定の値）は、実験的、または、経験的に、適宜設定される値である。
【００５２】
ＰＭＴ変換部２９は、記録制御部２７の制御に基づいて、供給されたＰＭＴを必要に応じて変換し、マルチプレクサ３０に供給する。具体的には、ＰＭＴ変換部２９は、記録制御部２７の制御に基づいて、Ｃ／Ｎレベルが所定の値よりも高い、すなわち、受信レベルが良好である場合、ＰＭＴから、階層伝送記述子の記述を削除して、変換後のＰＭＴをマルチプレクサ３０に供給し、Ｃ／Ｎレベルが所定の値よりも低い、すなわち、受信レベルが良好でない場合、ＰＭＴを変換せずに（階層伝送記述子の記述を残したまま）、マルチプレクサ３０に供給する。
【００５３】
マルチプレクサ３０は、ストリーム選択部２８およびＰＭＴ変換部２９から供給された信号を、マルチプレクスし、ＲＥＣ−ＦＩＦＯ３１に供給する。
【００５４】
ＲＥＣ−ＦＩＦＯ３１は、記録用信号のＦＩＦＯ（first in first out）動作を行うメモリであり、供給された信号を一時記憶して、入力された順に、その信号を、記録部１２のハードディスク記録再生処理部５１に出力するものである。
【００５５】
なお、記憶データ処理部２２の説明においては、アンテナ２１により受信された放送信号の圧縮符号化方式と、記録部１２においてハードディスクに記録される場合の圧縮符号化方式が、例えば、ＩＳＯ／ＩＥＣ（International Organization for Standardization / International Electrotechnical Commission）で定められたＭＰＥＧ−２（moving picture experts group- 2）標準規格に従った同一の形式である場合を例として説明しているが、アンテナ２１により受信された放送信号の圧縮符号化方式と、記録部１２においてハードディスクに記録される場合の圧縮符号化方式が異なるものである場合、記録データ処理部１１には、復号部および符号化部（または、フォーマット変換処理部)などが、適宜設けられるものとしてもよいことは言うまでもない。
【００５６】
つぎに、記録部１２は、ハードディスク記録再生処理部５１、ハードディスク５２、および、記録再生制御部５３で構成されている。
【００５７】
ハードディスク記録再生処理部５１は、記録再生制御部５３の制御に基づいて、記録データ処理部１１から供給された記録用の放送信号を、セクタサイズに基づいて分割し、ハードディスク５２に供給して記録させたり、ハードディスク５２に記録されている所定の信号を読み出して、信号の増幅、および周波数応答特性などの補正を行い、再生処理部１３のバッファメモリ６３に供給する。ハードディスク５２は、ハードディスク記録再生処理部５１から供給された記録用の放送信号を記録する。
【００５８】
記録再生制御部５３は、再生処理部１３の再生処理部６１から供給される制御信号に基づいて、記録部１２が実行する処理を制御するものであり、ハードディスク記録再生処理部５１を制御して、ハードディスク５２に記録用の放送信号を記録させるとともに、ハードディスク５２に記録された放送信号のうち、ユーザが再生を指令した放送信号を読み出させて、再生処理部１３のバッファメモリ６３に供給させる。
【００５９】
なお、ここでは、記録用の放送信号が、ハードディスク５２に記録され、ハードディスク５２に記録された放送信号が読み出されるものとして説明したが、記録用の放送信号は、各種のリムーバブル記録媒体に記録されるようにしてもよいことはいうまでもない。
【００６０】
次に、再生処理部１３は、再生制御部６１、操作入力部６２、バッファメモリ６３、ＰＭＴ抽出部６４、ストリーム選択部６５、ＭＰＥＧデコーダ６６、ＯＳＤ（On Screen Display）６７、音声信号処理部６８、Ｄ／Ａ変換部６９、映像信号処理部７０、Ｄ／Ａ変換部７１、および、ドライブ７２により構成されている。
【００６１】
再生制御部６１は、再生処理部１３の全体の処理を制御するものであり、例えば、ＰＭＴ抽出部６４により抽出された再生信号のＰＭＴを基に、ストリーム選択部６５を制御して、再生されるエレメンタリーストリームを制御したり、ＯＳＤ６７を制御して、表示される映像信号に、ユーザへの所定のメッセージを表示させる。具体的には、再生制御部６１は、ＰＭＴ抽出部６４により抽出された再生信号のＰＭＴに、階層伝送記述子が含まれていないとき、再生信号に含まれるエレメンタリーストリームは、高階層に対応するもののみであると判断し、ストリーム選択部６５を制御して、供給されるエレメンタリーストリームをそのまま出力させ、再生信号のＰＭＴに、階層伝送記述子が含まれているとき、再生信号に含まれるエレメンタリーストリームは、品質が悪いと予測される高階層に対応するものと、低階層に対応するものの両方であると判断し、ストリーム選択部６５を制御して、供給されるエレメンタリーストリームから、低階層に対応するエレメンタリーストリームを選択させるとともに、再生信号のＰＭＴに階層伝送記述子が含まれている部分と含まれていない部分との切り替わり点において、ＯＳＤ６７を制御して、再生されるエレメンタリーストリームが切り替わったことをユーザに通知するためのメッセージなどを、映像に重畳させて表示させる。
【００６２】
また、再生制御部６１は、再生処理部１３の全体の処理を制御するのみならず、操作入力部６２により入力されたユーザの操作入力に基づいて、必要に応じて、記録データ処理部１１または記録部１２の動作を制御する。
【００６３】
操作入力部６２は、例えば、ボタン、キー、タッチパッド、または、リモートコマンダから供給される赤外線などの無線信号を受信する受信部などで構成され、ユーザの操作入力を受け、その操作入力を示す信号を、再生制御部６１に供給する。
【００６４】
バッファメモリ６３は、記録部１２から供給された再生信号を一時記録するメモリであり、一時記録した再生信号を、ＰＭＴ抽出部６４に供給する。ＰＭＴ抽出部６４は、供給された再生信号から、ＰＭＴを抽出し、再生制御部６１に供給するとともに、エレメンタリーストリームをストリーム選択部６５に供給する。
【００６５】
ストリーム選択部６５は、再生制御部６１の制御に基づいて、供給されたエレメンタリーストリームのうち、出力されるものを選択して、ＭＰＥＧデコーダ６６に供給する。ＭＰＥＧデコーダ６６は、供給された再生信号をデコードし、音声信号を音声信号処理部６８に、映像信号を映像信号処理部７０に、それぞれ供給する。
【００６６】
ＯＳＤ６７は、再生制御部６１の制御に基づいて、映像信号に重畳させて表示させるメッセージを映像信号処理部７０に供給する。
【００６７】
音声信号処理部６８は、ＭＰＥＧデコーダ６６によりデコードされた音声データの供給を受け、ノイズ除去や増幅などの所定の処理を行って、Ｄ／Ａ変換部６９に供給する。Ｄ／Ａ変換部６９は、供給されたデジタルの音声データをアナログ信号に変換し、例えば、テレビジョン受像機や外部のスピーカなどに供給して音声出力させる。
【００６８】
映像信号処理部７０は、ＭＰＥＧデコーダ６６によりデコードされた映像データの供給を受け、ＮＴＳＣフォーマットの信号に変換するなどの所定の処理を施し、必要に応じて、ＯＳＤ６７から供給されたデータを重畳し、Ｄ／Ａ変換部７１に供給する。Ｄ／Ａ変換部７１は、供給されたデジタルの映像データをアナログ信号に変換し、例えば、テレビジョン受像機や外部のモニタなどに供給して表示させる。
【００６９】
ドライブ７２は、磁気ディスク８１、光ディスク８２、光磁気ディスク８３、あるいは半導体メモリ８４などが装着されたとき、それらを駆動し、そこに記録されているプログラムやデータなどを取得する。取得されたプログラムやデータは、必要に応じて、再生制御部６１に転送され、再生制御部６１によって実行される。
【００７０】
次に、図１を用いて説明した記録再生装置１において記録再生される、階層変調に対応した放送信号について説明する。
【００７１】
階層変調は、降雨時など受信レベルが低下した際に、極力サービスの提示を継続することを目的としており、ＡＲＩＢ（Association of Radio Industries and Businesses）ＴＲ−Ｂ１５第七編「７．１階層変調の運用」において、以下のように定義されている。
【００７２】
（１）１サービス内のコンポーネントに異なる別々の変調方式を用いることにより、低Ｃ／Ｎレベル時のサービス時間率を改善する方式を階層変調と定義する。
（２）階層変調ではＴＳ（トランスポートストリーム）内で２種類の変調方式間（階層間）でのサービスに限定する。
（３）符号化効率の低下が少ない範囲で極力所要Ｃ／Ｎレベル差の大きな変調方式の組み合わせを推奨する。
（４）ＴＣ８ＰＳＫを用いて伝送する情報が流れている階層を高階層とする。一方、それ以外の周波数利用効率が低い変調方式を用いて、低いＣ／Ｎレベルでも受信できる情報が流れている階層を低階層とする。
（５）同じ種類のコンポーネントが異なる階層に存在する場合（例えば、高階層映像と低階層映像）、階層伝送記述子で相互のエレメンタリーストリームを参照して受信状態に応じて切換を行う。
（６）ＴＳまたはサービス毎に別々の変調方式を用いることにより、１キャリア内で複数の変調方式が用いられる場合には、階層変調とは呼ばない。
【００７３】
図２乃至図４を用いて、階層変調が適用されている放送信号において放送信号に含まれるエレメンタリーストリーム、すなわち、ストリーム選択部２８に供給されるエレメンタリーストリームの例について説明する。図２乃至図４において、図中、記載されている矢印は、参照先エレメンタリーストリームを示すものであり、参照先エレメンタリーストリームとは、それぞれが対応する他階層のエレメンタリーストリームである。
【００７４】
階層変調が適用されている放送信号における放送信号に含まれるエレメンタリーストリームの第１のパターンは、図２に示されるように、階層変調が適用されている放送信号に含まれるエレメンタリーストリームにおいて、高階層の映像１に対して、低階層の映像２が対応付けられ、高階層の音声１に対して、低階層の音声２が対応付けられているものである。この場合、Ｃ／Ｎレベルが一定以上に高い状態（十分な受信強度である状態）では、映像１および音声１が視聴されるようになされており、Ｃ／Ｎレベルが低下し、一定以下の値となった場合、映像２および音声２が視聴されるようになされている。そして、Ｃ／Ｎレベルが一定以上に低い状態（十分な受信強度でない状態）から、Ｃ／Ｎレベルが一定以上に高い状態となったとき、視聴される放送信号は、再び、映像１および音声１となるようになされている。
【００７５】
階層変調が適用されている放送信号における放送信号に含まれるエレメンタリーストリームの第２のパターンは、図３に示されるように、階層変調が適用されている放送信号に含まれるエレメンタリーストリームにおいて、高階層の映像１に対して、低階層の映像２が対応付けられるとともに、高階層の映像３に対しても、低階層の映像２が対応付けられ、高階層の音声１に対して、低階層の音声２が対応付けられているものである。この場合、Ｃ／Ｎレベルが一定以上に高い状態（十分な受信強度である状態）では、映像１および音声１、または、映像３および音声１が視聴されるようになされており、Ｃ／Ｎレベルが低下し、一定以下の値となった場合、映像２および音声２が視聴されるようになされている。そして、Ｃ／Ｎレベルが一定以上に低い状態（十分な受信強度でない状態）から、Ｃ／Ｎレベルが一定以上に高い状態に復帰したとき、視聴される放送信号は、再び、Ｃ／Ｎレベルが一定以上に高い状態に視聴されていたものに戻るようになされている場合と、Ｃ／Ｎレベルが一定以上に高い状態に視聴されていたものにかかわらず、映像２の参照先となっている映像１と、音声２の参照先となっている音声２となるようになされている場合とがあり、このうちのいずれの方法が採用されるかは、放送信号を受信する装置の仕様に依存する。
【００７６】
階層変調が適用されている放送信号における放送信号に含まれるエレメンタリーストリームの第３のパターンは、図４に示されるように、階層変調が適用されている放送信号に含まれるエレメンタリーストリームにおいて、高階層の映像１に対して、低階層の映像２が対応付けられ、高階層の音声１に対しては、音声信号が対応付けられていないものである。この場合、Ｃ／Ｎレベルが一定以上に高い状態（十分な受信強度である状態）では、映像１および音声１が視聴されるようになされており、Ｃ／Ｎレベルが低下し、一定以下の値となった場合、映像２が表示されるが、音声信号の提供がないようになされている。そして、Ｃ／Ｎレベルが一定以上に低い状態（十分な受信強度でない状態）から、Ｃ／Ｎレベルが一定以上に高い状態に復帰したとき、視聴される放送信号は、再び、視聴される放送信号は、再び、映像１および音声１となるようになされている。
【００７７】
そして、図１の記録制御部２７は、Ｃ／Ｎレベル検出部２６から供給されたＣ／Ｎレベルが所定の値よりも高い、すなわち、受信状況が良好であるとき、ストリーム選択部２８を制御して、高階層に対応する映像データおよび音声データを、記録部１２により記録されるエレメンタリーストリームとして選択させ、Ｃ／Ｎレベル検出部２６から供給されたＣ／Ｎレベルが所定の値よりも低い、すなわち、受信状況が良好ではないとき、ストリーム選択部２８を制御して、高階層に対応する映像データおよび音声データと、低階層に対応する映像データおよび音声データの両方を、記録部１２により記録されるエレメンタリーストリームとして選択させる。
【００７８】
また、放送信号において、図２乃至図４を用いて説明したエレメンタリーストリームの参照先などの関連情報は、ＰＭＴの階層伝送記述子に記載されている。図１の記録制御部２７は、Ｃ／Ｎレベル検出部２６から供給されたＣ／Ｎレベルに応じて、ストリーム選択部２８を制御して、記録部１２により記録されるエレメンタリーストリームを選択させるとともに、記録されるエレメンタリーストリームに対応させて、ＰＭＴを適宜変換させる。
【００７９】
次に、図５乃至図７を用いて、ＰＭＴについて説明する。図５は、ＰＭＴ変換部２９に供給されるセクションデータのうちのＰＭＴセクションの構造を示す図である。
【００８０】
table_id（８ビット）は、セクション（テーブル）の種類を示す情報であり、ここでは、ＰＭＴであることを表す情報が記載される。section_syntax_indicator（１ビット）は、セクションのヘッダがロングフォームであるか、ショートフォームであるかを示す情報である。reservedは、将来意味付けされるフラグである（以下同様）。section_length（１２ビット）は、この直後からセクションの最後まで（ＣＲＣ（Cyclic Redundancy code）符号があるときはそれを含む）のセクション長をバイト単位で示す情報である。
【００８１】
version_number（５ビット）は、ＰＭＴのバージョンを示し、ＰＭＴの内容が更新される毎に１だけインクリメントされる。current_next_indicator（１ビット）は、ＰＭＴの新旧バージョンを同時に伝送する際に、何れのバージョンのものであるかを示す。section_number（８ビット）は、セクション番号を示し、最初のセクションのセクション番号は、”０ｘ００”とされ、それ以降のセクションにおいては、セクション毎に１だけインクリメントされる。last_section_number（８ビット）は、同一サブテーブルの最後のセクションのセクション番号を示す情報である。ＰＣＲ＿ＰＩＤ（３ビット）は、新しいＰＭＴの内容に書かれているＰＣＲ（Program Clock Reference）を伝送するトランスポートパケットのパケットＩＤである。program_info_length（１２ビット）は、このフィールドの直後に続くdescriptorのバイト数を規定する情報である。descriptorは、セクションの内容を補完する情報が記述される記述子である。
【００８２】
stream_type（８ビット）は、映像、音声、またはデータ等、ストリームが伝送される信号の種類を示す。elementary_PID（１３ビット）は、エレメンタリーストリームのＰＩＤを示す。ES_info_length（１２ビット）は、このフィールドの直後に続く関連するエレメンタリーストリームのdescriptorの長さ（バイト数）を規定する。descriptorには、図６を用いて後述する構造を有する階層伝送記述子が記述される。階層伝送記述子には、階層化伝送における階層化したストリーム間の関係が記述される。また、stream_type、elementary_PID、ES_info_lengthおよびdescriptorは、繰り返し記述される情報である。
【００８３】
そして、最後の３２バイトにＣＲＣ（Cyclic Redundancy code）３２がフレームの誤りを検出するために記載される。
【００８４】
図６は、ＰＭＴに記載される階層伝送記述子の構造を示す図である。
【００８５】
descriptor_tagは、descriptorの種別を示す（記述子を識別する）ための情報である。descriptor_lengthは、以下に記載されるデータ部分の全バイト長を規定する。quality_levelは、対応するエレメンタリーストリームが高階層に対応するストリームであるか、低階層に対応するストリームであるかを示す情報であり、たとえば、quality_level＝１のとき、高階層であり、quality_level＝０のとき、低階層であるものとすることができる。reference_PIDは、図２乃至図４を用いて説明した、参照先のエレメンタリーストリームを示す情報である。
【００８６】
ＰＭＴの具体的な記載例について、図７を用いて説明する。
【００８７】
図４を用いて説明した、table_id乃至program_info_lengthの情報に続き、descriptorが記載されている。まず、１つ目のエレメンタリーストリームは、stream_type=0x02が記述されているので、この記述子で表されるエレメンタリーストリームの種類は、MPEG2 VIDEOであり、elementary_PIDとして、0x0100が記述され、ES_info_lengthに、このエレメンタリーストリームの長さが記述され、続いて、ストリーム識別記述子が記述されて、component_tag＝0x00でこのエレメンタリーストリームが識別されるようになされ、階層伝送記述子が記述されて、quality_level＝１で、このエレメンタリーストリームが高階層であることが示され、reference_PID=1x0101で、このエレメンタリーストリームが参照するエレメンタリーストリームのPIDが指定される。
【００８８】
２つ目のエレメンタリーストリームは、stream_type=0x02が記述されているので、エレメンタリーストリームの種類は、MPEG2 VIDEOであり、elementary_PIDとして、0x0101が記述され、ES_info_lengthに、このエレメンタリーストリームの長さが記述され、続いて、ストリーム識別記述子が記述されて、component_tag＝0x01でこのエレメンタリーストリームが識別されるようになされ、階層伝送記述子が記述されて、quality_level＝０で、このエレメンタリーストリームが低階層であることが示され、reference_PID=1x0100で、このエレメンタリーストリームが参照するエレメンタリーストリームのPIDが指定される。
【００８９】
３つ目のエレメンタリーストリームは、stream_type=0x02が記述されているので、エレメンタリーストリームの種類は、MPEG2 VIDEOであり、elementary_PIDとして、0x0200が記述され、ES_info_lengthに、このエレメンタリーストリームの長さが記述され、続いて、ストリーム識別記述子が記述されて、component_tag＝0x10でこのエレメンタリーストリームが識別されるようになされ、階層伝送記述子が記述されて、quality_level＝１で、このエレメンタリーストリームが高階層であることが示され、reference_PID=1x0201で、このエレメンタリーストリームが参照するエレメンタリーストリームのPIDが指定される。
【００９０】
４つ目のエレメンタリーストリームは、stream_type=0x02が記述されているので、エレメンタリーストリームの種類は、MPEG2 VIDEOであり、elementary_PIDとして、0x0201が記述され、ES_info_lengthに、このエレメンタリーストリームの長さが記述され、続いて、ストリーム識別記述子が記述されて、component_tag＝0x11でこのエレメンタリーストリームが識別されるようになされ、階層伝送記述子が記述されて、quality_level＝０で、このエレメンタリーストリームが低階層であることが示され、reference_PID=1x0200で、このエレメンタリーストリームが参照するエレメンタリーストリームのPIDが指定される。
【００９１】
そして、最後に、ＣＲＣ３２が記載される。
【００９２】
図７を用いて説明したＰＭＴに対応するエレメンタリーストリームの概要を、図８を用いて説明する。
【００９３】
ＰＩＤ0x0100のエレメンタリーストリームは、映像ＥＳ（エレメンタリーストリーム）であり、component_tag＝0x00で識別され、参照先のエレメンタリーストリームは、ＰＩＤ0x0101の映像ＥＳである。
【００９４】
また、ＰＩＤ0x0200のエレメンタリーストリームは、音声ＥＳであり、component_tag＝0x10で識別され、参照先のエレメンタリーストリームは、ＰＩＤ0x0201の音声ＥＳである。
【００９５】
そして、ＰＩＤ0x0101のエレメンタリーストリームは、映像ＥＳ（エレメンタリーストリーム）であり、component_tag＝0x01で識別され、参照先のエレメンタリーストリームは、ＰＩＤ0x0100の映像ＥＳである。
【００９６】
また、ＰＩＤ0x0201のエレメンタリーストリームは、音声ＥＳであり、component_tag＝0x11で識別され、参照先のエレメンタリーストリームは、ＰＩＤ0x0200の音声ＥＳである。
【００９７】
図８に示される放送波が送信され、チューナ２２により受信された放送波のＣ／Ｎレベルの、Ｃ／Ｎレベル検出部２６による検出結果が所定の値以上である、すなわち、放送波の受信状況が良い場合、記録制御部２７は、ＰＭＴ変換部２９を制御して、低階層のエレメンタリーストリームに対応する部分の記述と、階層伝送記述子とをＰＭＴから削除させる。したがって、受信された放送波のＣ／Ｎレベルが所定の値以上である場合、ＰＭＴ変換部２９は、図７を用いて説明したＰＭＴから、低階層のエレメンタリーストリームに対応する部分の記述と、階層伝送記述子の記載とを削除し、図９に示されるように変更して、マルチプレクサ３０に供給する。
【００９８】
そして、受信された放送波のＣ／Ｎレベルが所定の値以上である場合、記録制御部２７は、ストリーム選択部２８を制御して、高階層に対応するエレメンタリーストリームを選択させる。すなわち、ストリーム選択部２８は、図８を用いて説明した高階層および低階層のエレメンタリーストリームから、高階層に対応するＰＩＤ0x0100のエレメンタリーストリームとＰＩＤ0x0200のエレメンタリーストリームを選択し、マルチプレクサ３０に供給する。
【００９９】
一方、図８に示される放送波が送信され、チューナ２２により受信された放送波のＣ／Ｎレベルの、Ｃ／Ｎレベル検出部２６による検出結果が所定の値以下である、すなわち、放送波の受信状況が悪い場合、記録制御部２７は、ＰＭＴ変換部２９を制御して、階層伝送記述子をＰＭＴから削除させずに、図１０に示されるＰＭＴの状態で、マルチプレクサ３０に供給させる。
【０１００】
そして、受信された放送波のＣ／Ｎレベルが所定の値以上である場合、記録制御部２７は、ストリーム選択部２８を制御して、受信されたエレメンタリーストリームをすべて選択させる。すなわち、ストリーム選択部２８は、図８を用いて説明した高階層および低階層のエレメンタリーストリームをすべて選択し、マルチプレクサ３０に供給する。しかしながら、高階層に対応するエレメンタリーストリームは、受信状況が悪いため、エラーパケットが発生している可能性が高く、再生出力に耐えられるものではない。
【０１０１】
そして、図８に示される放送波が送信され、チューナ２２により受信された放送波のＣ／Ｎレベルの、Ｃ／Ｎレベル検出部２６による検出結果が所定の値以上である状態において記録されたエレメンタリーストリームが再生される場合、ＰＭＣ抽出部６４により抽出されるＰＭＴには階層伝送記述子が含まれていないので、再生制御部６１は、この再生信号は、Ｃ／Ｎレベルが所定の値以上である状態において記録されたエレメンタリーストリームであることを認識することができる。したがって、再生制御部６１は、ストリーム選択部６５に、供給されたエレメンタリーストリーム、すなわち、高階層に対応するもののみのエレメンタリーストリームをそのままＭＰＥＧデコーダ６６に供給させる。
【０１０２】
また、図８に示される放送波が送信され、チューナ２２により受信された放送波のＣ／Ｎレベルの、Ｃ／Ｎレベル検出部２６による検出結果が所定の値以下である状態において記録されたエレメンタリーストリームが再生される場合、ＰＭＣ抽出部６４により抽出されるＰＭＴには階層伝送記述子が含まれているので、再生制御部６１は、この再生信号は、Ｃ／Ｎレベルが所定の値以下である状態において記録されたエレメンタリーストリームであることを認識することができる。したがって、再生制御部６１は、ストリーム選択部６５に、供給されたエレメンタリーストリームから、低階層に対応するもののみのエレメンタリーストリームを選択させてＭＰＥＧデコーダ６６に供給させる。
【０１０３】
また、ＰＭＣ抽出部６４により抽出されるＰＭＴには階層伝送記述子が含まれているかいないかの切り替え点において、ＯＳＤ６７が制御されて、表示される映像データに、Ｃ／Ｎレベルの低下、または復帰が原因で、再生されている映像および音声の品質が変更したことを通知するためのメッセージが、表示される映像データに重畳されるようになされている。
【０１０４】
図８に示されるエレメンタリーストリームと対応するＰＭＣが受信された場合における、記録されるＰＭＴおよびエレメンタリーストリーム、並びに、提示されるエレメンタリーストリームについて図１１を用いて説明する。
【０１０５】
録画時のＣ／Ｎレベルが所定の値以上であり、受信状態が良好である場合、記録されるＰＭＴには、階層伝送記述子が含まれておらず、記録される映像ＥＳ（エレメンタリーストリーム）のＰＩＤは、0x0100であり、記録される音声ＥＳのＰＩＤは、0x0200であり、再生時に提示される映像ＥＳのＰＩＤは、0x0100であり、再生時に提示される音声ＥＳのＰＩＤは、0x0200である。
【０１０６】
そして、録画時のＣ／Ｎレベルが所定の値以上に低下してしなった場合、記録されるＰＭＴには、階層伝送記述子が含まれており、記録される映像ＥＳのＰＩＤは、0x0100および0x0101であり、記録される音声ＥＳのＰＩＤは、0x0200および0x0201であり、再生時に提示される映像ＥＳのＰＩＤは、0x0101であり、再生時に提示される音声ＥＳのＰＩＤは、0x0201である。
【０１０７】
そして、再び、録画時のＣ／Ｎレベルが所定の値以上に復帰した場合、記録されるＰＭＴには、階層伝送記述子が含まれておらず、記録される映像ＥＳのＰＩＤは、0x0100であり、記録される音声ＥＳのＰＩＤは、0x0200であり、再生時に提示される映像ＥＳのＰＩＤは、0x0100であり、再生時に提示される音声ＥＳのＰＩＤは、0x0200である。
【０１０８】
そして、録画時のＣ／Ｎレベルの変化により提示されるエレメンタリーストリームが変更されたとき、ユーザに、Ｃ／Ｎレベルの低下、または復帰が原因で、再生されている映像および音声の品質が変更したことを通知するためのメッセージが、表示される映像データに重畳されるので、ユーザは、なぜ品質が劣るエレメンタリーストリームが提示されているのか、もしくは、なぜエレメンタリーストリームの提示がされなくなったのか、または、なぜ再び提示されるようになったかなど、再生信号の状況を把握することができる。
【０１０９】
次に、図１２のフローチャートを参照して、放送信号受信記録処理について説明する。
【０１１０】
ステップＳ１において、記録再生装置１の記録データ処理部１１の記録制御部２７は、再生制御部６１を介して供給される信号に基づいて、操作入力部６２により、ユーザから、放送信号の受信と記録を指令する操作入力を受けたか否かを判断する。ステップＳ１において、放送信号の受信と記録を指令する操作入力を受けていないと判断された場合、放送信号の受信と記録が指令されたと判断されるまで、ステップＳ１の処理が繰り返される。
【０１１１】
ステップＳ１において、放送信号の受信と記録を指令する操作入力を受けたと判断された場合、ステップＳ２において、記録制御部２７は、記録データ処理部１１の各部を制御するので、チューナ２２は、アンテナ２１により受信された放送信号を取得して選局し、以下、復調部２３、デスクランブラ２４、および、デマルチプレクサ２５は、上述したように、受信信号を処理する。
【０１１２】
ステップＳ３において、Ｃ／Ｎレベル検出部２６は、チューナにより取得された放送波のＣ／Ｎレベルを検出し、検出結果を記録制御部２７に供給する。
【０１１３】
ステップＳ４において、記録制御部２７は、Ｃ／Ｎレベル検出部２６により検出された放送波のＣ／Ｎレベルは所定の値以上であるか否かを判断する。
【０１１４】
ステップＳ４において、放送波のＣ／Ｎレベルは所定の値以上であると判断された場合、ステップＳ５において、記録制御部２７は、ストリーム選択部２８を制御して、デマルチプレクサ２５から供給される映像および音声のＥＳ（エレメンタリーストリーム）のうち、高階層のＥＳを選択させる。ストリーム選択部２８は、記録制御部２７の制御に基づいて、高階層のＥＳを選択し、低階層のＥＳを削除し、マルチプレクサ３０に供給する。
【０１１５】
ステップＳ６において、記録制御部２７は、ＰＭＴ変換部２９を制御して、ＰＭＴを書き換えて、伝送記述子を削除させる。ＰＭＴ変換部２９は、記録制御部２７の制御に基づいて、供給されたＰＭＴを書き換えて、伝送記述子を削除し、マルチプレクサ３０に供給する。
【０１１６】
ステップＳ４において、放送波のＣ／Ｎレベルは所定の値以上ではないと判断された場合、または、ステップＳ６の処理の終了後、ステップＳ７において、マルチプレクサ３０は、供給されたＥＳおよびＰＭＴをマルチプレクスし、ＲＥＣ−ＦＩＦＯ３１に供給する。ＲＥＣ−ＦＩＦＯ３１は供給された信号を一時保持した後、記録部１２のハードディスク記録再生処理部５１に供給する。ハードディスク記録再生処理部５１は、ＲＥＣ−ＦＩＦＯ３１から供給された、処理済の放送信号およびＰＭＴを、ハードディスク５２に供給して記録する。
【０１１７】
ステップＳ８において、記録制御部２７は、放送信号の記録が終了されるか否かを判断する。ステップＳ８において、放送信号の記録が終了されないと判断された場合、処理は、ステップＳ２に戻り、それ以降の処理が繰り返される。ステップＳ８において、放送信号の記録が終了されると判断された場合、処理が終了される。
【０１１８】
このような処理により、階層変調に対応した放送波が記録されるとき、Ｃ／Ｎレベルによって、記録される信号が必要に応じて削除または変更される。すなわち、信号が再生される場合、記録信号の受信時のＣ／Ｎレベルに応じて再生されるエレメンタリーストリームが制御されるとともに、異なる階層に切り替わったときに、ユーザに通知することができるような記録信号を生成して記録することができる。
【０１１９】
次に、図１３のフローチャートを参照して、記録された放送信号の再生処理について説明する。
【０１２０】
ステップＳ２１において、再生制御部６１は、操作入力部６２から供給される信号を基に、ユーザから、記録部１２に記録された放送信号の再生を指令する操作入力を受けたか否かを判断する。ステップＳ２１において、放送信号の再生を指令する操作入力を受けていないと判断された場合、放送信号の再生を指令する操作入力を受けたと判断されるまで、ステップＳ２１の処理が繰り返される。
【０１２１】
ステップＳ２１において、放送信号の再生を指令する操作入力を受けたと判断された場合、ステップＳ２２において、再生制御部６１は、記録再生制御部５３に、ユーザにより指定された、記録されている放送信号の読み出しを指令する制御信号を出力する。記録再生制御部５３は、ハードディスク記録再生処理部５１を制御し、ハードディスク５１に記録された、ユーザにより指定された放送信号を読み出させ、バッファメモリ６３に供給させる。バッファメモリ６３は、供給された放送信号、すなわち、再生信号を、ＰＭＴ抽出部６４に供給する。
【０１２２】
ステップＳ２３において、ＰＭＴ抽出部６４は、供給された再生信号から、ＰＭＴを抽出し、再生制御部６１に供給する。また、ＰＭＴ抽出部６４は、供給された再生信号のうちのエレメンタリーストリーム（ＥＳ）を、ストリーム選択部６５に供給する。
【０１２３】
ステップＳ２４において、再生制御部６１は、ＰＭＴ抽出部６４から供給されたＰＭＴに階層伝送記述子が記述されているか否かを判断する。
【０１２４】
ステップＳ２４において、ＰＭＴに階層伝送記述子が記述されていると判断された場合、ステップＳ２５において、再生制御部６１は、ストリーム選択部６５を制御して、供給されたエレメンタリーストリームのうち、低階層のエレメンタリーストリーム（ＥＳ）を選択させる。ストリーム選択部６５は、再生制御部６１の制御にしたがって、供給されたエレメンタリーストリームのうち、低階層のエレメンタリーストリームを選択し、ＭＰＥＧデコーダ６６に供給する。
【０１２５】
ステップＳ２４において、ＰＭＴに階層伝送記述子が記述されていないと判断された場合、ステップＳ２６において、再生制御部６１は、ストリーム選択部６５を制御して、供給されたエレメンタリーストリームのうちをそのまま出力させる、すなわち、高階層のエレメンタリーストリーム（ＥＳ）を選択させる。ストリーム選択部６５は、再生制御部６１の制御にしたがって、供給されたエレメンタリーストリーム、すなわち、高階層のエレメンタリーストリームを選択し、ＭＰＥＧデコーダ６６に供給する。
【０１２６】
ステップＳ２５またはステップＳ２６の処理の終了後、ステップＳ２７において、再生制御部６１は、ＰＭＴ抽出部６４から供給されたＰＭＴの階層伝送記述子の記載の有無が切り替わったか否か、具体的には、ＰＭＴに階層伝送記述子の記載がある状態から、ＰＭＴに階層伝送記述子の記載がない状態に切り替わったか、または、階層伝送記述子の記載がない状態から、ＰＭＴに階層伝送記述子の記載がある状態に切り替わったか、もしくは、ＰＭＴには、階層伝送記述子の記載がある状態のままであるか、または、階層伝送記述子の記載がない状態のままであるかを判断する。
【０１２７】
ステップＳ２７において、ＰＭＴの階層伝送記述子の記載の有無が切り替わったと判断された場合、ステップＳ２８において、再生制御部６１は、ＭＰＥＧデコーダ６６、音声信号処理部６８、Ｄ／Ａ変換部６９、映像信号処理部７０、および、Ｄ／Ａ変換部７１を制御して、再生信号を適宜処理させ、処理済の放送信号を再生出力するとともに、ＯＳＤ６７を制御して、再生される放送信号の階層が切り替わったことを通知するためのメッセージを映像信号処理部７０により処理される映像信号に重畳させ、ユーザに、再生される放送信号の階層が切り替わったことを通知する。
【０１２８】
ステップＳ２７において、ＰＭＴの階層伝送記述子の記載の有無が切り替わっていないと判断された場合、ステップＳ２９において、再生制御部６１は、ＭＰＥＧデコーダ６６、音声信号処理部６８、Ｄ／Ａ変換部６９、映像信号処理部７０、および、Ｄ／Ａ変換部７１を制御して、再生信号を適宜処理させ、処理済の放送信号を再生出力する（映像信号に通知メッセージは重畳されない）。
【０１２９】
ステップＳ２８またはステップＳ２９の処理の終了後、ステップＳ３０において、再生制御部６１は、記録部１２により再生され、バッファメモリ６３に供給される再生信号が終了するか否か、または、操作入力部６２から供給される信号により再生の終了が指令されたか否かを基に、記録された放送信号の再生が終了されるか否かを判断する。ステップＳ３０において、記録された放送信号の再生が終了されないと判断された場合、処理は、ステップＳ２２に戻り、それ以降の処理が繰り返される。ステップＳ３０において、記録された放送信号の再生が終了されると判断された場合、処理は終了される。
【０１３０】
このような処理により、階層変調に対応して記録された放送波を再生するにあたって、記録信号の受信時のＣ／Ｎレベルに応じて再生されるエレメンタリーストリームが制御されるとともに、異なる階層に切り替わったときに、ユーザに通知することができる。
【０１３１】
したがって、ユーザは、再生信号の品質が切り替わってしまった場合、その原因が、記録信号の受信時のＣ／Ｎレベルの変更であることを認識することが可能である。
【０１３２】
なお、ここでは、放送信号の記録と記録された放送信号との再生を、１つの装置である記録再生装置１において実行する場合について説明したが、記録される放送信号の処理、放送信号の記録、および、再生する信号の処理が、それぞれ、異なる装置で実行される場合や、それらの処理のうちの一部が異なる装置で実行される場合にも、本発明は適用可能である。すなわち、例えば、記録データ処理部１１と同様の機能を有する記録データ処理装置、記録部１２と同様の機能を有する情報記録装置、再生処理部１３と同様の機能を有するデータ再生装置が、それぞれ、異なる装置として設けられている場合などにおいても、本発明は適用可能である。
【０１３３】
また、ここでは、階層化伝送方式が採用されている放送信号を録画するにあたり、受信時のＣ／Ｎレベルに応じて、受信状況が良好であるか否かを判断するようになされていたが、受信状況を判断する判断材料としては、Ｃ／Ｎレベル以外に、受信ビット誤り率を用いるようにしてもよく、また、他の方法を用いて、受信状況を判断するようにしてもよい。
【０１３４】
なお、ここでは、階層化伝送方式が採用されている放送信号を録画するにあたり、受信時のＣ／Ｎレベルに応じて、ＰＭＴに記載されている階層伝送記述子を削除するか否かを判断し、記録されたデータの再生時には、ＰＭＴに階層伝送記述子が記載されているか否かを基に、再生出力するエレメンタリーストリームを決定するものとして説明しているが、例えば、受信時のＣ／Ｎレベルに応じて、ＰＭＴに記載されている他の情報であって、削除しても支障がない情報を、必要に応じて削除するようにしてもよく、また、ＰＭＴ以外の所定の情報（例えば、いずれかのテーブル情報）のうち、削除しても支障がない特定の情報を、必要に応じて削除するようにしてもよい。そして、再生時には、所定の情報（例えば、いずれかのテーブル情報）に、特定の情報が記載されているか否かを基に、再生出力するエレメンタリーストリームを決定するようにしてもよい。
【０１３５】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１３６】
この記録媒体は、図１に示すように、コンピュータとは別に、ユーザにプログラムを提供するために配布される、プログラムが記録されている磁気ディスク４１または８１（フレキシブルディスクを含む）、光ディスク４２または８２（CD-ROM（Compact Disk-Read Only Memory），DVD（Digital Versatile Disk）を含む）、光磁気ディスク４３または８３（ＭＤ(Mini-Disk)（商標）を含む）、もしくは半導体メモリ４４または８４などよりなるパッケージメディアなどにより構成される。
【０１３７】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１３８】
【図１】本発明を適用した記録再生装置の構成を示すブロック図である。
【図２】階層化伝送方式が採用されている放送信号について説明するための図である。
【図３】階層化伝送方式が採用されている放送信号について説明するための図である。
【図４】階層化伝送方式が採用されている放送信号について説明するための図である。
【図５】ＰＭＴセクションの構造を示す図である。
【図６】階層伝送記述子の構造を示す図である。
【図７】具体的な記載例を示す図である。
【図８】図７に対応した、階層化伝送方式が採用されている放送信号について説明するための図である。
【図９】階層伝送記述子が削除された、記録されるＰＭＴの例を示す図である。
【図１０】階層伝送記述子が削除されていない、記録されるＰＭＴの例を示す図である。
【図１１】録画時のＣＮレベルと、記録再生される情報の関係について説明するための図である。
【図１２】放送信号受信記録処理について説明するためのフローチャートである。
【図１３】記録された放送信号の再生処理について説明するためのフローチャートである。
【符号の説明】
【０１３９】
１  記録再生装置，  １１  記録データ処理部，  １２  記録部，  １３  再生処理部，  ２１  アンテナ，  ２６  Ｃ／Ｎレベル検出部，  ２７  記録制御部，  ２８  ストリーム選択部，  ２９  ＰＭＴ変換部，  ５１  ハードディスク記録再生処理部，  ５２  ハードディスク，  ５３  記録再生制御部，  ６１  再生制御部，  ４２  操作入力部，  ６３  バッファメモリ，  ６４ＰＭＴ抽出部，  ６５  ストリーム選択部，  ６７  ＯＳＤ
【図１】
2006020197.tif 000003
【図２】
2006020197.tif 000004
【図３】
2006020197.tif 000005
【図４】
2006020197.tif 000006
【図５】
2006020197.tif 000007
【図６】
2006020197.tif 000008
【図７】
2006020197.tif 000009
【図８】
2006020197.tif 000010
【図９】
2006020197.tif 000011
【図１０】
2006020197.tif 000012
【図１１】
2006020197.tif 000013
【図１２】
2006020197.tif 000014
【図１３】
2006020197.tif 000015